(57)【要約】【課題】電磁結合用回路を検出する検出装置の技術において、電磁結合によるエネルギー伝達を効率よく行って、装置の小型化および低消費電力化を実現すること。【解決手段】送信回路部５は、所定周波数間隔の複数の周波数信号を含み、隣接する周波数帯が重ならないように設定されたＮ個（Ｎ≧２）の周波数帯の各周波数信号を合成することで、所定周波数に対応する時間間隔でピークレベルが現れる送信信号を生成する。車上子３は、送信信号に応じた送信波を出力用コイル３１から出力し、出力用コイル３１からの出力に応じて入力用コイル３３に誘起される入力信号を受信回路部７に出力する。受信回路部７は、入力信号を周波数解析し、信号レベルが相対的に高い周波数信号が入力信号に含まれている場合に、当該高い信号を含む周波数帯の基準周波数を選択周波数とする地上子に接近したことを検出する。【選択図】図１
2019041347.tif 000002
【特許請求の範囲】
【請求項１】
移動体に設置され、当該移動体が移動することによって移動経路に配置された電磁結合用回路に接近した場合に、送信波の電磁結合を検出することで前記電磁結合用回路を検出する検出装置であって、
所定周波数間隔の複数の周波数信号を含み、隣接する周波数帯が重ならないように設定されたＮ個（Ｎ≧２）の周波数帯の各周波数信号を合成することで、前記所定周波数に対応する時間間隔でピークレベルが現れる送信信号を生成する送信回路部と、
前記送信信号に応じた前記送信波を出力する出力用コイルと、前記出力用コイルからの出力に応じて入力信号が誘起される入力用コイルとを有し、前記電磁結合用回路に接近した場合に、前記電磁結合用回路の回路定数によって前記Ｎ個の周波数帯のうちの何れかの周波数帯の基準周波数が選択周波数として選択されることで、前記入力信号のうち、前記選択周波数を含む前記周波数帯内の何れかの周波数信号の信号レベルが相対的に高く、他の周波数信号の信号レベルが相対的に低くなるように前記入力信号が誘起されるコイル部と、
前記入力信号を周波数解析し、信号レベルが相対的に高い周波数信号が前記入力信号に含まれている場合に、当該高い信号を含む周波数帯の基準周波数を前記選択周波数とする前記電磁結合用回路に接近したことを検出する受信回路部と、
を備えた検出装置。
【請求項２】
前記所定周波数は、前記Ｎ個の周波数帯の基準周波数の公約数である、
請求項１に記載の検出装置。
【請求項３】
前記所定周波数は、１ｋＨｚ以下であり、
前記Ｎ個の周波数帯の基準周波数は、１０ｋＨｚ以上である、
請求項１又は２に記載の検出装置。
【請求項４】
前記送信回路部は、前記所定周波数を可変に設定する間隔周波数設定部を有する、
請求項１〜３の何れか一項に記載の検出装置。
【請求項５】
前記間隔周波数設定部は、前記移動体の移動速度に基づいて前記所定周波数を設定する、
請求項４に記載の検出装置。
【請求項６】
移動体に設置され、当該移動体が移動することによって移動経路に配置された電磁結合用回路に接近した場合に、送信波の電磁結合を検出することで前記電磁結合用回路を検出する検出装置の作動方法であって、
所定周波数間隔の複数の周波数信号を含み、隣接する周波数帯が重ならないように設定されたＮ個（Ｎ≧２）の周波数帯の各周波数信号を合成することで、前記所定周波数に対応する時間間隔でピークレベルが現れる送信信号を生成することと、
出力用コイルから前記送信信号に応じた前記送信波を出力することと、
前記出力用コイルからの出力に応じて入力用コイルに誘起される入力信号であって、前記電磁結合用回路に接近した場合に、前記電磁結合用回路の回路定数によって前記Ｎ個の周波数帯のうちの何れかの周波数帯の基準周波数が選択周波数として選択されることで、前記入力信号のうち、前記選択周波数を含む前記周波数帯内の何れかの周波数信号の信号レベルが相対的に高く、他の周波数信号の信号レベルが相対的に低くなる前記入力信号を入力することと、
前記入力信号を周波数解析し、信号レベルが相対的に高い周波数信号が前記入力信号に含まれている場合に、当該高い信号を含む周波数帯の基準周波数を前記選択周波数とする前記電磁結合用回路に接近したことを検出することと、
を含む検出装置の作動方法。
【発明の詳細な説明】
【技術分野】
【０００１】
本発明は、電磁結合用回路を検出する検出装置等に関する。
【背景技術】
【０００２】
従来から、電磁結合用回路を内蔵する地上子を軌道に配置し、車上側で地上子を検出して列車の停止制御や速度制御、また位置検知等を行う技術が知られている（例えば特許文献１を参照）。車上側は、車上子を介して送信信号を送信し、車上子が地上子と接近したときに当該地上子の電磁結合用回路と電磁結合することを利用して地上子を検出するとともに、地上側からの情報を受信する。
【先行技術文献】
【特許文献】
【０００３】
【特許文献１】特開２００６−１６０１６１号公報
【発明の概要】
【発明が解決しようとする課題】
【０００４】
ところで、上記のような電磁結合を利用した地上子（より正確には地上子内の電磁結合用回路）の検出では、情報を伝送する伝送帯域や伝送経路によっては信号が大きく減衰し、正常な情報伝送ができない事態が起こり得た。そのため、減衰の大きい伝送帯域や伝送経路に合わせて送信信号の増幅率を高くする必要があり、その分回路規模の拡大や消費電力の増大を招く問題があった。
【０００５】
なお、電磁結合用回路を検出する検出装置の一例として、電磁結合用回路を内蔵する地上子を、検出装置である車上装置が検出する鉄道用途の技術を挙げたが、鉄道用途以外の技術用途においても同様の問題が生じ得た。
【０００６】
本発明は、上記に鑑み、電磁結合用回路を検出する検出装置の技術において、電磁結合によるエネルギー伝達を効率よく行って、装置の小型化および低消費電力化を実現することを目的として考案されたものである。
【課題を解決するための手段】
【０００７】
上記課題を解決するための第１の発明は、
移動体に設置され、当該移動体が移動することによって移動経路に配置された電磁結合用回路に接近した場合に、送信波の電磁結合を検出することで前記電磁結合用回路を検出する検出装置であって、
所定周波数間隔の複数の周波数信号を含み、隣接する周波数帯が重ならないように設定されたＮ個（Ｎ≧２）の周波数帯の各周波数信号を合成することで、前記所定周波数に対応する時間間隔でピークレベルが現れる送信信号を生成する送信回路部と、
前記送信信号に応じた前記送信波を出力する出力用コイルと、前記出力用コイルからの出力に応じて入力信号が誘起される入力用コイルとを有し、前記電磁結合用回路に接近した場合に、前記電磁結合用回路の回路定数によって前記Ｎ個の周波数帯のうちの何れかの周波数帯の基準周波数が選択周波数として選択されることで、前記入力信号のうち、前記選択周波数を含む前記周波数帯内の何れかの周波数信号の信号レベルが相対的に高く、他の周波数信号の信号レベルが相対的に低くなるように前記入力信号が誘起されるコイル部と、
前記入力信号を周波数解析し、信号レベルが相対的に高い周波数信号が前記入力信号に含まれている場合に、当該高い信号を含む周波数帯の基準周波数を前記選択周波数とする前記電磁結合用回路に接近したことを検出する受信回路部と、
を備えた検出装置である。
【０００８】
また、他の発明として、
移動体に設置され、当該移動体が移動することによって移動経路に配置された電磁結合用回路に接近した場合に、送信波の電磁結合を検出することで前記電磁結合用回路を検出する検出装置の作動方法であって、
所定周波数間隔の複数の周波数信号を含み、隣接する周波数帯が重ならないように設定されたＮ個（Ｎ≧２）の周波数帯の各周波数信号を合成することで、前記所定周波数に対応する時間間隔でピークレベルが現れる送信信号を生成することと、
出力用コイルから前記送信信号に応じた前記送信波を出力することと、
前記出力用コイルからの出力に応じて入力用コイルに誘起される入力信号であって、前記電磁結合用回路に接近した場合に、前記電磁結合用回路の回路定数によって前記Ｎ個の周波数帯のうちの何れかの周波数帯の基準周波数が選択周波数として選択されることで、前記入力信号のうち、前記選択周波数を含む前記周波数帯内の何れかの周波数信号の信号レベルが相対的に高く、他の周波数信号の信号レベルが相対的に低くなる前記入力信号を入力することと、
前記入力信号を周波数解析し、信号レベルが相対的に高い周波数信号が前記入力信号に含まれている場合に、当該高い信号を含む周波数帯の基準周波数を前記選択周波数とする前記電磁結合用回路に接近したことを検出することと、
を含む検出装置の作動方法を構成してもよい。
【０００９】
第１の発明等によれば、電磁結合用回路の選択周波数として選択され得るＮ個の各周波数帯の基準周波数の周波数成分を含み、合成する周波数信号の間隔周波数に対応する時間間隔でピークレベルが現れる送信信号を生成して、当該送信信号に応じた送信波をコイル部の出力用コイルから出力することができる。そして、コイル部の入力用コイルに誘起される入力信号を周波数解析し、他の周波数信号と比べて信号レベルが相対的に高い周波数信号が入力信号に含まれている場合に、それを含む周波数帯の基準周波数を選択周波数とする電磁結合用回路への接近を検出できる。これによれば、減衰の大きい伝送帯域や伝送経路に合わせて送信信号の増幅率を高くしなくても、所定の時間間隔で現れる信号レベルの高いピークレベル部分の送出時に電磁結合によるエネルギー伝達を効率よく行い、電磁結合用回路を適正に検出することが可能となる。したがって、装置の小型化および低消費電力化が実現できる。
【００１０】
また、第２の発明として、
前記所定周波数は、前記Ｎ個の周波数帯の基準周波数の公約数である、
第１の発明の検出装置を構成してもよい。
【００１１】
第２の発明によれば、後述するように、所定周波数を基準周波数の公約数とすることで、所定周波数に対応する時間間隔で高いピークレベルが現れる送信信号を生成することが可能となる。
【００１２】
また、第３の発明として、
前記所定周波数は、１ｋＨｚ以下であり、
前記Ｎ個の周波数帯の基準周波数は、１０ｋＨｚ以上である、
第１又は第２の発明の検出装置を構成してもよい。
【００１３】
また、第４の発明として、
前記送信回路部は、前記所定周波数を可変に設定する間隔周波数設定部を有する、
第１〜第３の何れかの発明の検出装置を構成してもよい。
【００１４】
第４の発明によれば、合成する周波数信号の間隔周波数を可変に設定して送信信号を生成することができる。
【００１５】
また、第５の発明として、
前記間隔周波数設定部は、前記移動体の移動速度に基づいて前記所定周波数を設定する、
第４の発明の検出装置を構成してもよい。
【００１６】
第５の発明によれば、送信信号に現れるピークレベルの時間間隔を、移動体の移動速度に応じて調整することが可能となる。
【図面の簡単な説明】
【００１７】
【図１】車上装置の構成例を示すブロック図。
【図２】送信信号生成部の構成例を示すブロック図。
【図３】送信信号の生成を説明する図。
【図４】送信信号の包絡線の一例を示す模式図。
【図５】基準周波数について生成される周波数信号を示す図。
【図６】地上子の検出を説明する図。
【発明を実施するための形態】
【００１８】
以下、図面を参照して、本発明の好適な実施形態について説明する。以下では、移動体を列車とし、列車に設置される車上装置へ本発明の検出装置を適用する例を示す。また、地上子は電磁結合用回路を内蔵して構成されているが、本実施形態の説明においては実質的に地上子が電磁結合用回路に相当することとなるため、電磁結合用回路のことを地上子として説明する。なお、以下説明する実施形態によって本発明が限定されるものではなく、本発明を適用可能な形態が以下の実施形態に限定されるものでもない。また、図面の記載において、同一部分には同一の符号を付す。
【００１９】
図１は、本実施形態における車上装置１の構成例を示すブロック図である。また、図２は、車上装置１の送信回路部５を構成する送信信号生成部５１の構成例を示すブロック図である。図１に示すように、車上装置１は、列車の車体底部に設けられる車上子３と、送信回路部５と、受信回路部７とを備える。
【００２０】
本実施形態の車上装置１は、軌道に沿って配置された地上子を検出して列車の停止制御や速度制御、また位置検知等を行うＡＴＳ（Automatic Train Stop）車上装置であり、車上子３が地上子に接近したときに車上子３が当該地上子と電磁結合することを利用して、列車が地上子の配置位置を通過したこと等を検出する。そのために、車上装置１は、所定の周波数成分を含む送信波を車上子３から連続的に出力するとともに、車上子３からの入力信号に生じる変化を常時解析して当該電磁結合を検出する。
【００２１】
ここで、地上子は、上述した通り車上子３からの送信波と電磁結合する電磁結合用回路に相当しており、共振回路であるＬＣ回路を構成しているため、その回路定数（コイルのインダクタや、コンデンサの容量）によって選択周波数が予め設定される。選択周波数は、Ｎ個（Ｎ≧２）の基準周波数のうちの何れか１つの基準周波数とされる。基準周波数は、１０ｋＨｚ以上の周波数として予め設定される。本実施形態では例えばＮ＝９とされ、地上子には、１０ｋＨｚ以上の異なる９個の基準周波数ｆ１〜ｆ９のうちの何れか１つが選択周波数として設定される。
【００２２】
車上子３は、送信回路部５（出力用トランス５９）から入力される送信信号に応じた送信波を出力する出力用コイル（１次コイル）３１と、出力用コイル３１からの出力に応じて入力信号が誘起される入力用コイル（２次コイル）３３とを有するコイル部である。
【００２３】
送信回路部５は、送信信号生成部５１と、間隔周波数設定部５３と、ＤＡ変換部５５と、アンプ部５７と、出力用トランス５９とを備える。
【００２４】
送信信号生成部５１は、図２に示すように、周波数帯信号生成部５１１（ｆ１周波数帯信号生成部５１１−１〜ｆ９周波数帯信号生成部５１１−９）と、合成波生成部５１３とを備える。各周波数帯信号生成部５１１は、それぞれ対応する基準周波数ｆ１〜ｆ９に係る周波数帯信号（ｆ１周波数帯信号〜ｆ９周波数帯信号）を生成する。そして、合成波生成部５１３は、ｆ１周波数帯信号〜ｆ９周波数帯信号を合成して送信信号を生成する。この送信信号生成部５１は、例えば、所定のクロック信号生成器やＦＰＧＡ（Field-Programmable Gate Array）を用いて実現することができる。
【００２５】
図３は、送信信号生成部５１による送信信号の生成を説明する図であり、横軸を周波数とし、縦軸を信号レベルとして、合成のもととなる周波数信号を示している。また、図４は、横軸を時間とし、縦軸を信号レベルとして、送信信号の包絡線の一例を模式的に示した図である。
【００２６】
先ず、周波数帯信号生成部５１１は、対応する基準周波数を含むように設定されるＮ個（本実施形態ではＮ＝９）の周波数帯の周波数信号を用いて、その基準周波数に係る周波数帯信号を生成する。具体的には、基準周波数ｆ１〜ｆ９をそれぞれ含む周波数帯（ｆ１周波数帯〜ｆ９周波数帯）は、隣接する周波数帯が重ならないように設定される。そして、周波数帯信号生成部５１１は、対応する周波数帯に含まれる複数の周波数信号であって、所定周波数間隔の周波数信号（信号波形は任意に設計することが可能であり、例えば正弦波信号とすることができるが、三角波信号や矩形波信号を採用することとしてもよい）を積算して合成し、周波数帯信号を生成する。図３では、合成する周波数信号の間隔周波数を２００Ｈｚとして例示している。具体的には、間隔周波数は、各基準周波数ｆ１〜ｆ９の公約数となる値として設定される。周波数帯信号生成部５１１は、この間隔周波数を用いて例えば基準周波数ｆ１を含むf１周波数帯の複数の周波数信号を生成し、これらを合成して周波数帯信号を生成する。ただし周波数信号として基準周波数f１自身を含んでもよいし、含まなくてもよい。本実施形態では、この間隔周波数の値は間隔周波数設定部５３によって設定され、設定された間隔周波数と、周波数帯の幅とによって、合成される周波数信号の数が決まる。間隔周波数の値が大きければ周波数信号の数は少なく、小さければ多くなる。
【００２７】
例えば、ｆ１周波数帯信号生成部５１１−１は、基準周波数ｆ１を含むｆ１周波数帯ｆ１１〜ｆ１ｎ内の２００Ｈｚ間隔の周波数信号Ｓ１１〜Ｓ１ｎを生成することで、ｆ１周波数帯信号を生成する。ｆ２周波数帯信号生成部５１１−２〜ｆ９周波数帯信号生成部５１１−９も同様の要領で、合成のもととなる周波数信号Ｓ２１〜Ｓ２ｎ，・・・，Ｓ９１〜Ｓ９ｎをそれぞれ生成して合成し、ｆ２周波数帯信号〜ｆ９周波数帯信号を得る。
【００２８】
続いて、合成波生成部５１３は、ｆ１周波数帯信号〜ｆ９周波数帯信号を重畳させるように積算して合成し、それらの合成波となる送信信号を得る。この送信信号には、図４に示すように、間隔周波数に対応する時間間隔で信号レベルの高いピークレベルが現れる。例えば間隔周波数を２００Ｈｚとした場合、地上子の選択周波数として設定され得る基準周波数ｆ１〜ｆ９の周波数成分を含み、２００Ｈｚの逆数で求まる約５ｍｓｅｃ間隔でピークレベルＰを有する送信信号が得られる。周波数帯信号生成部５１１が生成する１つ１つの周波数信号のレベルは小さいものの、全ての周波数信号が合成されることで高いピークレベルが現れることとなる。
【００２９】
ここで、間隔周波数の周期で送信信号に高いピークが現れるのは、合成のもととなる周波数信号Ｓ２１〜Ｓ２ｎ，・・・，Ｓ９１〜Ｓ９ｎの各々の位相が、間隔周波数の周期で元の位相に戻るからである。図５は、基準周波数と、当該基準周波数について生成される周波数信号との関係を示す図である。図５では、一部の周波数信号をＡ０，Ａ１，Ａ２，・・・，Ａｋと表記しており、そのうちの周波数信号Ａ０が、基準周波数の周波数信号に対応している。
【００３０】
上記したように、間隔周波数（所定周波数間隔）Δｆは、基準周波数ｆ１〜ｆ９の公約数となる値として設定される。そのため、例えば基準周波数ｆ１に着目すると、基準周波数ｆ１と間隔周波数Δｆとには次式（１）の関係が成り立ち、この場合の周波数信号Ａ０は、間隔周波数Δｆを用いて次式（２）で表すことができる。
ｆ１／Δｆ＝ｍ  （ｍ：自然数）  …（１）
Ａ０（＝ｆ１）＝ｍΔｆ  …（２）
【００３１】
したがって、基準周波数がｆ１の場合の周波数信号Ａ１，Ａ２，・・・，Ａｋは、次式（３）〜（５）等で表すことができる。
Ａ１＝ｆ１＋Δｆ＝ｍΔｆ＋Δｆ＝Δｆ（ｍ＋１）  …（３）
Ａ２＝ｆ１＋２Δｆ＝ｍΔｆ＋２Δｆ＝Δｆ（ｍ＋２）  …（４）
・・・
Ａｋ＝ｆ１＋ｋΔｆ＝ｍΔｆ＋ｋΔｆ＝Δｆ（ｍ＋ｋ）  （ｋ：自然数）  …（５）
【００３２】
ところで、間隔周波数Δｆの周期（＝１／Δｆ）が基準周波数ｆ１の何周期分なのかを計算すると、基準周波数ｆ１の周期は１／ｍΔｆであるから、次式（６）に示すように、基準周波数ｆ１のちょうどｍ周期分が隔周波数Δｆの１周期と一致する。
（１／Δｆ）／（１／ｍΔｆ）＝ｍ  …（６）
【００３３】
同様に周波数信号Ａ１，Ａ２，・・・，Ａｋの周期についても求めると、例えば周波数信号Ａ１では、次式（７）に示すように、そのｍ＋１周期分が隔周波数Δｆの１周期と一致し、周波数信号Ａｋであれば、次式（８）に示すように、ｍ＋ｋ周期分が間隔周波数Δｆの１周期と一致する。
（１／Δｆ）／（１／（Δｆ（ｍ＋１））＝ｍ＋１  …（７）
（１／Δｆ）／（１／（Δｆ（ｍ＋ｋ））＝ｍ＋ｋ  …（８）
【００３４】
この関係は、基準周波数ｆ２〜ｆ９でも同様であり、間隔周波数Δｆを基準周波数ｆ１〜ｆ９の公約数とすることで、各基準周波数ｆ１〜ｆ９について生成される周波数信号Ｓ１１〜Ｓ１ｎ，・・・，Ｓ９１〜Ｓ９ｎは、全て間隔周波数Δｆの周期で位相が元に戻る（例えば図５の例では９０度）。よって、これら周波数信号Ｓ１１〜Ｓ１ｎ，・・・，Ｓ９１〜Ｓ９ｎを合成した波形、つまり送信信号の波形には、間隔周波数Δｆの周期で必ずピークが現れる。ここでは、Ａ０を基準周波数として説明したが、Ａ０が基準周波数である必要はなく、間隔周波数Δｆが基準周波数ｆ１〜ｆ９の公約数であれば、Δｆの周期で全ての周波数信号Ｓ２１〜Ｓ２ｎ，・・・，Ｓ９１〜Ｓ９ｎの各々の位相が元の位相に戻る。
【００３５】
なお、初期位相は、図５に例示したように、正弦波９０度にすると好適である。周波数信号Ｓ１１〜Ｓ１ｎ，・・・，Ｓ９１〜Ｓ９ｎの合成時に現れるピークが最も高くなるからである。ただし、間隔周波数Δｆが基準周波数ｆ１〜ｆ９に対して十分小さいため、例えば初期位相を０度としてもピーク値に実用上の大きな差はなく、９０度に限定する必要はない。また、合成する周波数信号Ｓ１１〜Ｓ１ｎ，・・・，Ｓ９１〜Ｓ９ｎは同期する必要があるが、これらは所定のクロック信号生成器やＦＰＧＡ（Field-Programmable Gate Array）を用いて同一の発振源から分周して実現されるので、おのずと同期する。
【００３６】
図１に戻り、間隔周波数設定部５３は、間隔周波数を可変に設定する。本実施形態では、間隔周波数設定部５３には、運転台等から列車速度が随時入力される。間隔周波数設定部５３は、この列車速度に基づいて間隔周波数を設定する。
【００３７】
上記したように、送信信号のピークレベルは、間隔周波数の逆数の時間間隔で現れる。一方で、列車の通過に伴い車上子３が地上子に接近している間に送信波のピークレベル部分が出力されれば、信号レベルが高いピークレベルの送信信号を地上子に送信することができる。したがって、間隔周波数を大きい値にしてピークレベルが現れる時間間隔を短く調整すれば、列車の高速走行時においても、ピークレベルの送信信号を地上子に送信できる。これに対し、間隔周波数を小さい値にすれば合成する周波数信号の数を増やすことができ、周波数帯信号生成部５１１が生成する１つ１つの周波数信号のレベルが同じ場合には、より信号レベルの高いピークレベルが現れる送信信号を生成できる。
【００３８】
そこで、間隔周波数設定部５３は、列車速度が速いほど間隔周波数を大きく、遅いほど間隔周波数を小さくして間隔周波数を設定する。例えば、予め高速域／中速域／低速域の速度域毎に対応する間隔周波数の値を設定しておき、列車速度が何れの速度域に属するのかに応じて間隔周波数を設定する。より詳細には、各速度域の間隔周波数は、各基準周波数ｆ１〜ｆ９の公約数となる値として予め定められる。そして、何れの間隔周波数の値も、１ｋＨｚ以下で、低速域から順に段階的に大きい値とすると好適である。
【００３９】
ＤＡ変換部５５は、合成波生成部５１３からの送信信号をアナログ信号に変換する。変換後の送信信号は、アンプ部５７に出力される。アンプ部５７は、ＤＡ変換部５５からの送信信号を増幅する。増幅された送信信号は、出力用トランス５９を介して車上子３の出力用コイル３１に出力される。
【００４０】
受信回路部７は、入力用トランス７１と、ＡＤ変換部７３と、ＢＰＦ７５と、ＦＦＴ部７７と、地上子検出部７９とを含む。この受信回路部７は、入力用コイル３３からの入力信号を入力用トランス７１を介してＡＤ変換部７３に出力し、デジタル信号に変換する。変換後の入力信号は、ＢＰＦ７５に出力される。
【００４１】
ＢＰＦ（Band Pass Filter）７５は、ＡＤ変換部７３からの入力信号に対して所定の周波数帯域の周波数成分を通過させ、帯域外の周波数成分を遮断する。通過させる周波数帯域は、ｆ１周波数帯〜ｆ９周波数帯を含む周波数帯域として設定される。ＢＰＦ７５を通過した入力信号は、ＦＦＴ部７７に出力される。
【００４２】
ＦＦＴ部７７は、ＢＰＦ７５からの入力信号について高速フーリエ変換（ＦＦＴ：Fast Fourier Transform）による周波数解析を行い、周波数スペクトルを算出する。周波数解析結果は、地上子検出部７９に出力される。
【００４３】
地上子検出部７９は、ＦＦＴ部７７による周波数解析結果に基づいて、車上子３が地上子に接近したことを検出する。ここで、車上子３が地上子に接近して当該地上子と電磁結合すると、車上子３の入力用コイル３３には、当該地上子の選択周波数を基準周波数とする周波数帯内の何れかの周波数信号の信号レベルが相対的に高く、他の周波数信号の信号レベルが相対的に低くなるように入力信号が誘起される。そこで、地上子検出部７９は、入力信号の周波数解析結果から、前述のように車上子３が地上子と電磁結合したことで相対的に高い信号レベルとなっている周波数信号の有無を判定する。そして、信号レベルが相対的に高い周波数信号が入力信号に含まれている場合に、当該高い信号を含む周波数帯の基準周波数を選択周波数とする地上子に接近したことを検出する。この地上子検出部７９は、例えばＤＳＰ（Digital Signal Processor）を用いて実現することができる。
【００４４】
図６は、地上子検出部７９による地上子の検出を説明する図であり、上段（ａ）は、車上子３が地上子に接近していないときの入力信号の周波数解析結果の模式図である。一方、下段（ｂ）は、選択周波数として基準周波数ｆ１が選択された地上子に車上子３が接近し、当該地上子と電磁結合したときの周波数解析結果の模式図である。なお、図６では、各周波数帯内の周波数信号を１５本として示している。図６の例では、ｆ１周波数帯内の周波数信号Ｓ１７の信号レベルが他の周波数信号の信号レベルと比べて相対的に高くなっている。この場合、地上子検出部７９は、周波数解析結果から、入力信号に他と比べて相対的に高い信号Ｓ１７が含まれていると判定し、そのｆ１周波数帯の基準周波数ｆ１を選択周波数とする地上子への接近を検出することとなる。相対的に高い信号Ｓ１７の検出方法は、いわゆるピーク信号の検出技術を採用することができ、例えばピーク信号を検出したとしても所定の閾値条件を満足しない場合にはピーク信号では無いと判断することで、誤判定を回避することができる。検出結果は、列車に搭載された不図示の列車制御部に出力され、当該列車制御部が行う列車の停止制御や速度制御、また位置検知等に用いられる。
【００４５】
以上説明したように、本実施形態によれば、車上装置１は、地上子の選択周波数として選択され得る基準周波数ｆ１〜ｆ９の周波数成分を含み、間隔周波数に対応する時間間隔でピークレベルが現れる送信信号を生成して、当該送信信号に応じた送信波を出力することができる。そして、入力用コイル３３に誘起される入力信号を周波数解析し、他の周波数信号と比べて信号レベルが相対的に高い周波数信号が入力信号に含まれている場合に、それを含む周波数帯の基準周波数を選択周波数とする地上子に接近したことを検出することができる。これによれば、生成する１つ１つの周波数信号は信号レベルが小さくて済む。すなわち、上述した特異な周波数間隔で周波数信号が生成されて合成される結果、間隔周波数に対応する時間間隔でピークレベルが現れる送信波となるため、車上装置１と地上子との間の信号送受に係るエネルギー伝達を効率よく実現することができ、車上装置１の小型化および低消費電力化を実現することができる。
【００４６】
なお、上記した実施形態では、移動体を列車とし、列車に搭載される車上装置へ本発明の検出装置を適用する例を挙げて説明したが、本発明の検出装置は、例えば自動車やバス等、列車以外の移動体にも適用が可能である。例えば、バス専用道を走行するＢＲＴ（Bus Rapid Transit）システムのバスに適用し、バス専用道に沿って配置された電磁結合回路を内蔵する地上子を検出することでその走行位置や当該位置における規制速度等を検出するといったことが可能となる。
【００４７】
また、上記した実施形態では、地上子（電磁結合回路）には、１つの周波数帯の基準周波数が選択周波数として設定されているとして説明したが、２つ以上の周波数帯それぞれの基準周波数が選択周波数として設定されていることとしてもよい。その場合でも、隣接する周波数帯が重ならないように設定されているため、検出装置である車上装置１は、問題なく、選択周波数を検出することができる。
【符号の説明】
【００４８】
１  車上装置、３  車上子、３１  出力用コイル、３３  入力用コイル、５  送信回路部、５１  送信信号生成部、５１１（５１１−１〜５１１−９）  周波数帯信号生成部（ｆ１周波数帯信号生成部〜ｆ９周波数帯信号生成部）、５１３  合成波生成部、５３  間隔周波数設定部、５５  ＤＡ変換部、５７  アンプ部、５９  出力用トランス、７  受信回路部、７１  入力用トランス、７３  ＡＤ変換部、７５  ＢＰＦ、７７  ＦＦＴ、７９  地上子検出部
【図１】
2019041347.tif 000003
【図２】
2019041347.tif 000004
【図３】
2019041347.tif 000005
【図４】
2019041347.tif 000006
【図５】
2019041347.tif 000007
【図６】
2019041347.tif 000008